(57)【要約】【課題】工具を用いずに容易に取付け、取外しでき、強固に取付けできる把手とする。【解決手段】把手部１１と取付支持部１２を有する把手本体１０と、固定部材２０を備え、前記取付支持部１２は取付面１３と取付け脚部１４と抜け止め部１５を有し、前記固定部材２０は孔２１と回転操作部２２と抜け止め面２３を有する。被取付部３０の取付用孔３１に抜け止め部１５と取付け脚部１４を挿通し、固定部材２０を抜け止め部１５に貫通して取付け脚部１４の回りに回転することで固定部材２０の抜け止め面２３が抜け止め部１５の内側面１５ａに接し、かつ裏面２０ｂが被取付部３０の他側面３０ｂにおける取付用孔３１の周辺部分に接して取付けられる把手。【選択図】　　　図１
2004143793.tif 000002
【特許請求の範囲】
【請求項１】
把手部１１と取付支持部１２を有する把手本体１０と、この把手本体１０を被取付部３０に取付ける固定部材２０を備え、
前記取付支持部１２は、被取付部３０の一側面３０ａに接する取付面１３と、この取付面１３から突出した被取付部３０の取付用孔３１に挿通する取付け脚部１４と、この取付け脚部１４に設けられ前記取付用孔３１に挿通する抜け止め部１５を有し、
前記固定部材２０は、表面２０ａと裏面２０ｂに貫通し前記抜け止め部１５が挿通する孔２１と、表面２０ａに設けた回転操作部２２と、表面２０ａに設けられ抜け止め部１５の内側面１５ａに接する抜け止め面２３を有し、
前記固定部材２０は、その孔２１が取付け脚部１４に嵌まり合った状態から、その裏面２０ｂが被取付部３０の他側面３０ｂにおける取付用孔３１の周縁部分に接し、かつ抜け止め面２３が抜け止め部１５の内側面１５ａに接する固定位置に回転可能であることを特徴とする把手。
【請求項２】
固定部材２０の抜け止め面２３の接触開始部分又は抜け止め部１５の内側面１５ａの接触開始部分を傾斜面とした請求項１記載の把手。
【請求項３】
固定部材２０の表面２０ａに、抜け止め部１５に当接して固定位置に位置決め保持する規制部２４を設けた請求項１又は２記載の把手。
【請求項４】
取付用孔３１は、取付け脚部１４と抜け止め部１５が挿通する一側面３０ａに開口した小径孔３１ａと、この小径孔３１ａと連続し他側面３０ｂに開口した大径孔３１ｂで段差面３１ｃを有する段付き形状で、
固定部材２０は、前記大径孔３１ｂ内に回転可能に収納されて裏面２０ｂが段差面３１ｃに接する請求項１又は２又は３記載の把手。
【請求項５】
被取付部３０の他側面３０ｂにおける取付用孔３１の周縁部と固定部材２０の裏面２０ｂとの間に弾性部材４０を設けた請求項１〜４いずれか１項記載の把手。
【請求項６】
固定部材２０は、孔２１の軸方向に弾性変形する請求項１〜４いずれか１項記載の把手。
【発明の詳細な説明】
【０００１】
【発明の属する技術分野】
本発明は、建具や家具等に取付ける把手に関する。
【０００２】
【従来の技術】
従来の一般的な把手はねじ止めタイプである。
例えば、ねじ穴を有する把手本体と、このねじ穴に螺合される取付ねじを備え、建具・家具等の被取付部にあらかじめ取付穴を加工し、この取付穴を挿通した取付ねじを把手本体のねじ穴に螺合して締付けることで把手本体を被取付部に取付ける。
前述したねじ止めタイプの把手は、その把手の取付け、取外しの際にドライバー等の工具が必要である。
【０００３】
ドライバー等の工具を用いずに取付け、取外しできる把手が特許文献１に開示されている。
この把手は、図１５に示すように把手本体１と取付部材２を備え、把手本体１の取付脚３を被取付部４の取付用孔５に挿通し、この取付脚３の鍔部６と被取付部４の一側面４ａとの間に取付部材２を押し込むことで取付け、その取付部材２を抜き出すことで取外している。
具体的には、把手を取付ける場合には、被取付部４の一側面４ａに沿って取付部材２を下方に向けてスライドさせ、その一側面４ａと鍔部６との間に押し込み、取外す場合には、その取付部材２を上方に向けてスライドさせて鍔部６と一側面４ａとの間から抜き出しする。
【０００４】
【特許文献】
特開２００１−１４６８６０号公報
【０００５】
【発明が解決しようとする課題】
前述した従来の把手は、取付部材２を鍔部６と被取付部４の一側面４ａとの間に押し込むことで取付けでき、その取付部材２を抜き出すことで取外しできるので、ドライバー等の工具を用いずに取付け、取外しできる。
【０００６】
しかしながら、把手本体１をがたつきなく強固に取付けるために、被取付部４の一側面４ａと鍔部６の間に取付部材２を強い力で押し込むようにしているので、前述のように被取付部４の一側面４ａに沿ってスライドさせながら、一側面４ａと鍔部６との間に強い力で押し込むことは困難であるし、鍔部６と一側面４ａとの間から抜き出すことも困難である。
このために、取付部材２を押し込み、抜き出しする操作がやりづらく、取付け、取外しが面倒である。
【０００７】
この押し込み、抜き出し操作をやり易くするためには、前述の被取付部４の一側面４ａと鍔部６との間の間隙を大きくし、その間に取付部材２を小さな力で押し込みできるようにすれば良いが、このようにすると取付強度が低下してしまう。
【０００８】
本発明は、前述の課題に鑑みなされたものであり、その目的は、工具を用いずに取付け・取外しできること、強固に取付けできること、取付け・取外しが容易であることを満足した把手を提供することである。
【０００９】
【課題を解決するための手段】
第１の発明は、把手部１１と取付支持部１２を有する把手本体１０と、この把手本体１０を被取付部３０に取付ける固定部材２０を備え、
前記取付支持部１２は、被取付部３０の一側面３０ａに接する取付面１３と、この取付面１３から突出した被取付部３０の取付用孔３１に挿通する取付け脚部１４と、この取付け脚部１４に設けられ前記取付用孔３１に挿通する抜け止め部１５を有し、
前記固定部材２０は、表面２０ａと裏面２０ｂに貫通し前記抜け止め部１５が挿通する孔２１と、表面２０ａに設けた回転操作部２２と、表面２０ａに設けられ抜け止め部１５の内側面１５ａに接する抜け止め面２３を有し、
前記固定部材２０は、その孔２１が取付け脚部１４に嵌まり合った状態から、その裏面２０ｂが被取付部３０の他側面３０ｂにおける取付用孔３１の周縁部分に接し、かつ抜け止め面２３が抜け止め部１５の内側面１５ａに接する固定位置に回転可能であることを特徴とする把手である。
【００１０】
第２の発明は、第１の発明において固定部材２０の抜け止め面２３の接触開始部分又は抜け止め部１５の内側面１５ａの接触開始部分を傾斜面とした把手である。
【００１１】
第３の発明は、第１又は第２の発明において固定部材２０の表面２０ａに、抜け止め部１５に当接して固定位置に位置決め保持する規制部２４を設けた把手である。
【００１２】
第４の発明は、第１又は第２又は第３の発明において取付用孔３１は、取付け脚部１４と抜け止め部１５が挿通する一側面３０ａに開口した小径孔３１ａと、この小径孔３１ａと連続し他側面３０ｂに開口した大径孔３１ｂで段差面３１ｃを有する段付き形状で、
固定部材２０は、前記大径孔３１ｂ内に回転可能に収納されて裏面２０ｂが段差面３１ｃに接する把手である。
【００１３】
第５の発明は、第１〜第４いずれか１つの発明において被取付部３０の他側面３０ｂにおける取付用孔３１の周縁部と固定部材２０の裏面２０ｂとの間に弾性部材４０を設けた把手である。
【００１４】
第６の発明は、第１〜第４いずれか１つの発明において固定部材２０は、孔２１の軸方向に弾性変形する把手である。
【００１５】
【作　用】
第１の発明によれば、被取付部３０の取付用孔３１に取付け脚部１４、抜け止め部１５を挿通し、その抜け止め部１５に固定部材２０の孔２１を挿通して取付け脚部１４に嵌め合わせ、その固定部材２０を回転用操作部２２に指を掛けて固定位置に回転することで、固定部材２０が被取付部３０の裏面３０ｂにおける取付用孔３１の周縁部分と抜け止め部１５の内側面１５ａとの間に押し込められ、把手本体１０を固定部材２０で強固に取付けできる。
また、固定部材２０を前述とは反対方向に回転して前述の被取付部３０の裏面３０ｂにおける取付用孔３１の周縁部分と抜け止め部１５の内側面１５ａとの間から抜き出すことで把手本体１０を取外しできる。
よって、工具を用いずに取付け、取外しできる。固定部材２０を回転して押し込み、抜き出しするから、その操作が容易で、強固に取付けできると共に、取付け・取外しが容易である。
【００１６】
第２の発明によれば、固定部材２０を固定位置に向けて回転することで傾斜面に沿って抜け止め面２３が抜け止め部１５の内側面１５ａにスムーズに接触するので、固定部材２０の回転操作が容易である。
【００１７】
第３の発明によれば、固定部材２０を固定位置に向けて回転することで、その規制部２４が抜け止め部１５に当接して固定位置に位置決め保持できる。
【００１８】
第４の発明によれば、固定部材２０が大径孔３１ｂ内に回転可能に収納されて他側面３０ｂから突出しないので、その固定部材２０に物が引っかかることがない。
【００１９】
第５の発明によれば、固定部材２０を抜け止め部１５に挿通して弾性部材４０を弾性変形し、その状態で固定部材２０を固定位置に回転することで、前述の弾性部材４０の弾性復元力で抜け止め部１５の内側面１５ａと固定部材２０の抜け止め面２３が強く接触する。
よって、より一層強固に取付けできると共に、固定部材２０を緩み止めして外れることを防止できる。
【００２０】
第６の発明によれば、第５の発明と同様に固定部材２０自身の弾性復元力で抜け止め部１５の内側面１５ａと固定部材２０の抜け止め面２３が強く接触する。
よって、より一層強固に取付けできると共に、固定部材２０を緩み止めして外れることを防止できる。
【００２１】
【発明の実施の形態】
本発明の第１の実施の形態を説明する。
図１に示すように、把手本体１０と固定部材２０で把手を構成している。
前記把手本体１０は把手部１１と、この把手部１１から突出した取付支持部１２を備えている。
この取付支持部１２は取付面１３と、この取付面１３に設けた取付け脚部１４と、この取付け脚部１４に設けた抜け止め部１５を有している。
前記固定部材２０は表面２０ａと裏面２０ｂに貫通した孔２１と、回転操作部２２と、表面２０ａ、好ましくは孔２１の周縁部に設けた抜け止め面２３を有する。前記孔２１と前記取付け脚部１４、抜け止め部１５は、孔２１が抜け止め部１５を貫通して取付け脚部１４に嵌まり合う状態から、抜け止め面２３が抜け止め部１５に接して抜け出しを防止する固定位置に回転可能な関係となっている。
建物（ドア本体）や家具などの被取付部３０には取付用孔３１が一側面３０ａと他側面３０ｂに貫通して有している。
【００２２】
前記取付け脚部１４と抜け止め部１５は前記取付用孔３１を挿通可能で、かつ取付面１３が被取付部３０の一側面３０ａに接すると抜け止め部１５が、被取付部３０の他側面３０ｂにおける取付用孔３１の周縁部分（後述する段差面３１ｃ）よりも突出するようにしてある。
この抜け止め部１５の突出寸法、つまり他側面３０ｂにおける取付用孔３１の周縁部分と抜け止め部１５の内側面１５ａとの間の寸法は固定部材２０の抜け止め面２３と裏面２０ｂとの間の厚さ、つまり抜け止め面２３部分の厚さとほぼ同一である。前記抜け止め部１５の内側面１５ａとは被取付部３０の他側面３０ｂに向う面である。前記ほぼ同一とは、同一よりも若干小さいこと又は同一であることである。
【００２３】
このようであるから、抜け止め部１５と取付け脚部１４を取付用孔３１に挿通して取付面１３を被取付部３０の一側面３０ａに接し、固定部材２０の孔２１を抜け止め部１５に貫通して取付け脚部１４に嵌め合わせ、図２に示すように固定部材２０の裏面２０ｂを他側面３０ｂにおける取付用孔３１の周縁部分に接する。
この状態では図３に示すように抜け止め面２３が抜け止め部１５の内側面１５ａに接触していない。
【００２４】
前述の状態から回転操作部２２を持って固定部材２０を固定位置に向けて（例えば、図３の矢印ａ方向）回転して図４と図５に示すように、抜け止め面２３を抜け止め部１５の内側面１５ａに接触して固定位置とすることで固定部材２０を被取付部３０の他側面３０ｂにおける取付用孔３１の周縁部分と抜け止め部１５の内側面１５ａとの間に押し込みする。
これによって、固定部材２０の裏面２０ｂが被取付部３０の他側面３０ｂにおける取付用孔３１の周縁部分に強く接し、かつ取付支持部１２の取付面１３が被取付部３０の一側面３０ａに強く接する。
よって、把手を強固に取付けできる。
【００２５】
また、回転操作部２２を持って固定部材２０を回転することで前述のように押し込むので、その操作がやり易く、把手を容易に取付けできる。
【００２６】
把手を取外しする場合は、回転操作部２２を持って固定部材２０を前述とは反対方向に向けて回転して被取付部３０の他側面３０ｂにおける取付用孔３１の周縁部分と抜け止め部１５の内側面１５ａとの間から抜き出しすれば良い。
よって、把手を容易に取外しできる。
【００２７】
次に、第１の実施の形態の具体形状を説明する。
前記把手本体１０は、ほぼ棒状の把手部１１の両端部に取付支持部１２がそれぞれ設けたほぼコ字形状で、その各取付支持部１２を前述のように固定部材２０でそれぞれ被取付部３０に取付けする。
前記取付け脚部１４は大径部１４ａと小径部１４ｂを有する断面円形の段付き軸で、その大径部１４ａが取付面１３に設けられ、小径部１４ｂの先端部に抜け止め部１５が設けてある。
前記抜け止め部１５は非円形、例えば長方形で、その長辺の長さは大径部１４ａの直径よりも小さく、小径部１４ｂの直径よりも大きく、短辺の長さは小径部１４ｂの直径とほぼ同一、好ましくは同一である。
【００２８】
前記取付用孔３１は被取付部３０の一側面３０ａに開口した小径孔３１ａと他側面３０ｂに開口した大径孔３１ｂで段差面３１ｃを有する断面円形の段付き孔で、その小径孔３１ａの直径が大径部１４ａの直径よりも僅かに大きく、大径部１４ａをがたつきなく回転自在に支承できるようにしてある。
つまり、取付け脚部１４を長手方向全長に亘って同一径として前述のようにしてがたつきなく支承すると、抜け止め部１５が取付け脚部１４の外周面から突出しないので固定部材２０を段差面３１ｃと抜け止め部１５の内側面１５ａとの間に押し込むことができないので、小径部１４ｂを形成しその小径部１４ｂの外周面から抜け止め部１５を突出して固定部材２０を小径部１４ｂの回りに回転することで押し込むことができるようにしてある。
なお、取付け脚部１４の外周面から抜け止め部１５が突出するようにすれば、取付け脚部１４を長手方向全長に亘って同一径とすることが可能である。この場合には取付け脚部１４が取付用孔３１に対して径方向にがたつくことになる。
【００２９】
前記固定部材２０は、前述の取付用孔３１の大径孔３１ｂ内に回転可能に収納される形態で、その固定部材２０が被取付部３０の他側面３０ｂよりも突出しないようにしてある。つまり、固定部材２０の裏面２０ｂが段差面３１ｃに接触し、その段差面３１ｃが前述の被取付部３０の他側面３０ｂにおける取付用孔３１の周縁部分である。
また、固定部材２０は前述のように回転操作されるので、大径孔３１ｂを固定部材２０とほぼ同一の大きさにできる。特に、固定部材２０を円形とすると共に、大径孔３１ｂを円形とすれば、その大径孔３１ｂを固定部材２０と同一の大きさにできる。
このようにすれば、固定部材２０と大径孔３１ｂでがたつきを防ぐことができるので、大径部１４ａを小径孔３１ａよりもかなり小さくできる。つまり、大径部１４ａを小径部１４ｂと同じくらい小さくして取付け脚部１４を長手方向全長に亘って同一径としてもかまわない。
【００３０】
なお、大径孔３１ｂを断面矩形で、固定部材２０を断面円形としたり、大径孔３１ｂを断面円形で、固定部材２０を断面矩形としても良い。
また、前記取付け脚部１４を断面矩形としても良い。
また、取付用孔３１を長手方向に連続して同一径とし、固定部材２０の裏面２０ｂが被取付部３０の他側面３０ｂにおける取付用孔３１の周縁部分に接するようにしても良い。この場合には固定部材２０が被取付部３０の他側面３０ｂよりも突出する。
【００３１】
前記固定部材２０の孔２１はほぼ長円形状で抜け止め部１５とほぼ同一大きさである。これに限ることはない。
前記回転操作部２２は孔２１の長軸方向両側に設けた一対の突片形状で、２つの指で回転操作できるようにしてある。
この一対の突片形状の回転操作部２２は孔２１の短軸方向両側に設けても良いし、３つ以上でも良いし、１つでも良い。
また、回転操作部２２は指先がかかる溝形状でも良く、この場合にも回転操作部２２は１つでも、２つ以上でも良い。
つまり、回転操作部２２は指先がかかる形態であれば良い。
【００３２】
前記抜け止め面２３は孔２１の短軸方向両側にそれぞれ設けてある。
前記抜け止め面２３と連続して規制部２４が設けてあり、この規制部２４に抜け止め部１５が当接することで固定部材２０を前述の固定位置に位置決め保持し、それ以上回転しないようにしてある。
前記抜け止め面２３は抜け止め部１５の内側面１５ａに接触し易いように接触開始部分が傾斜面２５としてある。なお、図１に仮想線で示すように抜け止め部１５の内側面１５ａにおける接触開始部分を傾斜面１５ｂとしても良い。
【００３３】
図６に示すように、抜け止め面２３の傾斜面２５寄りに僅かな高さの凸部２６を設け、取付部材２０を固定位置に回転した状態で、取付部材２０が振動などで回転する前の状態に回転することを凸部２６で防止するようにしても良い。
【００３４】
前述の固定部材２０は樹脂製であるが、金属製とすることもできる。
例えば、図７〜図９に示すように所定形状の基板２７をプレス成形して外周辺部分を切り起こして突片形状の回転操作部２２とし、基板２７の中間部を打抜きして孔２１とし、この孔２１の両側部分を打ち出して抜け止め面２３、規制部２４、傾斜面２５を形成する。この実施の形態では基板２７が仮想線で示すように円形であるが、矩形などであっても良い。
【００３５】
次に、本発明の第２の実施の形態を図１０に基づいて説明する。
この実施の形態は固定部材２０の裏面２０ｂと被取付部３０の他側面３０ｂにおける取付用孔３１の周縁部分、図１０では段差面３１ｃとの間に弾性部材４０を設けたことが第１の実施の形態と相違し、他の構成は同一である。弾性部材４０としては波形座金、皿ばねなどである。
【００３６】
このようにすれば、弾性部材４０を弾性変形して固定部材２０を前述のようにして取付けることで、その固定部材２０の抜け止め面２３が弾性部材４０の弾性復元力で抜け止め部１５の内側面１５ａに強く押しつけられる。
よって、より一層強固に取付けできる。また固定部材２０が振動などで第１の位置に回転することを防止できる。つまり、固定部材２０を緩み止めして外れることを防止できる。
【００３７】
次に、本発明の第３の実施の形態を図１１と図１２に基づいて説明する。
この実施の形態は、固定部材２０を孔２１の軸方向に弾性変形するものとしたことが前述の第１の実施の形態と相違し、他の構成は同一である。前述の孔２１の軸方向とは厚さ方向である。
例えば固定部材２０の裏面２０ｂに凹陥部５０を形成し、その裏面２０ｂを取付用孔３１の段差面３１ｃに押しつけた時に図１２に示すように中央部分が厚さ方向に弾性変形するようにする。この実施の形態は固定部材２０が樹脂製であるが、前述の図７〜図９に示す金属製の場合には打ち出し部分（抜け止め面２３を形成する部分）が弾性変形するようにすれば良い。
【００３８】
このようにすることで、固定部材２０を取付ける時に、その固定部材２０の中央部が孔２１の軸方向に弾性変形し、その弾性復元力で抜け止め面２３が抜け止め部１５の内側面１５ａに強く押しつけられる。
よって、より一層強固に取付けできる。固定部材２０が振動などで第１の位置に回転することを防止できる。つまり、固定部材２０を緩み止めして外れることを防止できる。
【００３９】
前述の各実施の形態において、固定部材２０が取付用孔３１の大径孔３１ｂ内に収納される場合には、その大径孔３１ｂにキャップを嵌合して固定部材２０が見えないようにすることができる。
例えば図１３に示すように筒状部６０と蓋６１を有するキャップ６２とし、その筒状部６０を大径孔３１ｂに嵌合して蓋６１を被取付部３０の他側面３０ｂに接する。
【００４０】
前述の各実施の形態において、取付支持部１２の取付面１３を摩擦抵抗大とし、その取付面１３が被取付部３０の一側面３０ａに接触した状態で取付支持部１２が被取付部３０に対して回転することを防止できるようにすることもできる。
【００４１】
例えば、図１４に示すように取付支持部１２の取付面１３に微小な凹凸７０を形成し、前述のように固定部材２０で取付けることで、この凹凸７０が被取付部３０の一側面３０ａに接触して取付支持部１２が被取付部３０に対して回転しないようにする。
このようにすれば、把手本体１０が１つの把手部１１と１つの取付支持部１２を有する形態の場合に、その把手部１１を手で持って回転しようとしても回転しないから、誤って把手本体１０が固定部材２０から外れてしまうことがない。
【００４２】
前述の各実施の形態において、被取付部３０の材質は木材、金属、樹脂など任意である。
また、前述の各実施の形態の把手は室内ドア、クローゼット用ドアなどの建具、机、タンス、げた箱などの家具、その他の把手を有する商品全般に適用できるものである。
【００４３】
【発明の効果】
請求項１に係る発明によれば、被取付部３０の取付用孔３１に取付け脚部１４、抜け止め部１５を挿通し、その抜け止め部１５に固定部材２０の孔２１を挿通して取付け脚部１４に嵌め合わせ、その固定部材２０を回転用操作部２２に指を掛けて固定位置に回転することで、固定部材２０が被取付部３０の裏面３０ｂにおける取付用孔３１の周縁部分と抜け止め部１５の内側面１５ａとの間に押し込められ、把手本体１０を固定部材２０で強固に取付けできる。
また、固定部材２０を前述とは反対方向に回転して前述の被取付部３０の裏面３０ｂにおける取付用孔３１の周縁部分と抜け止め部１５の内側面１５ａとの間から抜き出すことで把手本体１０を取外しできる。
よって、工具を用いずに取付け、取外しできる。固定部材２０を回転して押し込み、抜き出しするから、その操作が容易で、強固に取付けできると共に、取付け・取外しが容易である。
【００４４】
請求項２に係る発明によれば、固定部材２０を固定位置に向けて回転することで傾斜面に沿って抜け止め面２３が抜け止め部１５の内側面１５ａにスムーズに接触するので、固定部材２０の回転操作が容易である。
【００４５】
請求項３に係る発明によれば、固定部材２０を固定位置に向けて回転することで、その規制部２４が抜け止め部１５に当接して固定位置に位置決め保持できる。
【００４６】
請求項４に係る発明によれば、固定部材２０が大径孔３１ｂ内に回転可能に収納されて他側面３０ｂから突出しないので、その固定部材２０に物が引っかかることがない。
【００４７】
請求項５に係る発明によれば、固定部材２０を抜け止め部１５に挿通して弾性部材４０を弾性変形し、その状態で固定部材２０を固定位置に回転することで、前述の弾性部材４０の弾性復元力で抜け止め部１５の内側面１５ａと固定部材２０の抜け止め面２３が強く接触する。
よって、より一層強固に取付けできると共に、固定部材２０を緩み止めして外れることを防止できる。
【００４８】
請求項６に係る発明によれば、請求項５に係る発明と同様に固定部材２０自身の弾性復元力で抜け止め部１５の内側面１５ａと固定部材２０の抜け止め面２３が強く接触する。
よって、より一層強固に取付けできると共に、固定部材２０を緩み止めして外れることを防止できる。
【図面の簡単な説明】
【図１】本発明の第１の実施の形態を示す取外し状態の斜視図である。
【図２】仮取付け状態の断面図である。
【図３】仮取付け状態の正面図である。
【図４】取付け状態の断面図である。
【図５】取付け状態の正面図である。
【図６】固定部材の第２の実施の形態を示す斜視図である。
【図７】固定部材の第３の実施の形態を示す正面図である。
【図８】固定部材の第３の実施の形態を示す側面図である。
【図９】固定部材の第３の実施の形態を示す斜視図である。
【図１０】本発明の第２の実施の形態を示す取付け状態の断面図である。
【図１１】本発明の第３の実施の形態を示す取付け状態の断面図である。
【図１２】固定部材の弾性変形状態の説明図である。
【図１３】キャップを取付ける実施の形態の説明図である。
【図１４】本発明の第４の実施の形態を示す取外し状態の斜視図である。
【図１５】従来例の断面説明図である。
【符号の説明】
１…把手本体、２…取付部材、１０…把手本体、１１…把手部、１２…取付支持部、１３…取付面、１４…取付け脚部、１５…抜け止め部、１５ａ…内側面、１５ｂ…傾斜面、２０…固定部材、２１…孔、２２…回転操作部、２３…抜け止め面、２４…規制部、２５…傾斜面、３０…被取付部、３０ａ…一側面、３０ｂ…他側面、３１…取付用孔、３１ａ…大径孔、３１ｂ…小径孔、３１ｃ…段差面、４０…弾性部材、５０…凹陥部、６２…キャップ、７０…凹凸。
【図１】
2004143793.tif 000003
【図２】
2004143793.tif 000004
【図３】
2004143793.tif 000005
【図４】
2004143793.tif 000006
【図５】
2004143793.tif 000007
【図６】
2004143793.tif 000008
【図７】
2004143793.tif 000009
【図８】
2004143793.tif 000010
【図９】
2004143793.tif 000011
【図１０】
2004143793.tif 000012
【図１１】
2004143793.tif 000013
【図１２】
2004143793.tif 000014
【図１３】
2004143793.tif 000015
【図１４】
2004143793.tif 000016
【図１５】
2004143793.tif 000017